(57)【要約】【課題】  接眼検知手段により物体が接近したことを検出した場合、その物体が撮影者でなく障害物であると判別されたときに、カメラの動作状態を低消費モードへ遷移させられるようにすることを目的とする。【解決手段】  メニュー情報を表示するメニューモード（Ｓ１３）と、所定の操作部材の操作がなされたか否かを判定する操作部材入力判定モード（Ｓ１６）と、低消費モード（Ｓ１５）とを有する撮像装置において、メニューモード（Ｓ１３）時に接眼検知手段によって物体を検知したら、操作部材入力判定モード（Ｓ１６）へ遷移し、さらに操作部材入力判定モード（Ｓ１６）において、時間（ｔ２）に操作部材の操作がないと判定したら、検知した物体が撮影者でないと判別して、低消費モード（Ｓ１５）へ遷移するように制御する。【選択図】  図２
2007208934.tif 000002
【特許請求の範囲】
【請求項１】
ファインダに物体が接近したことを検知する接近検知手段と、
前記接近検知手段による接近検知動作を実行するモードを設定するモード設定手段と、
前記モード設定手段によって接近検知動作を実行するモードが設定されてからの経過時間を計時する第１の計時手段と、
前記モード設定手段によって接近検知動作を実行するモードが設定される場合に、前記接近検知手段によって物体の接近を検出してからの経過時間を計時する第２の計時手段と、
使用者によって操作可能な操作部材と、
前記第１の計時手段が第１の時間を計時した場合、および前記第２の計時手段が前記第１の時間よりも短い第２の時間を計時するまでの間に前記操作部材が操作されない場合には、前記接近検知手段の動作を停止する制御手段とを有することを特徴とする撮像装置。
【請求項２】
前記制御手段は、前記第２の計時手段が前記第１の時間よりも短い第２の時間を計時するまでの間に前記操作部材が操作されない場合には、前記第１の計時手段が第１の時間を計時した場合よりも消費電力の低い動作状態にすることを特徴とする請求項１に記載の撮像装置。
【請求項３】
ファインダに物体が接近したことを検知する接近検知手段と、前記接近検知手段による接近検知動作を実行するモードを設定するモード設定手段と、前記モード設定手段によって接近検知動作を実行するモードが設定されてからの経過時間を計時する第１の計時手段と、前記モード設定手段によって接近検知動作を実行するモードが設定される場合に、前記接近検知手段によって物体の接近を検出してからの経過時間を計時する第２の計時手段と、使用者によって操作可能な操作部材とを有する撮像装置の制御方法であって、
前記モード設定手段にて、前記接近検知手段による接近検知動作を実行するモードを設定するモード設定ステップと、
前記第１の計時手段にて、前記モード設定ステップによって接近検知動作を実行するモードが設定されてからの経過時間を計時する第１の計時ステップと、
前記第２の計時手段にて、物体の接近を検出してからの経過時間を計時する第２の計時ステップと、
前記第１の計時手段が第１の時間を計時した場合、および前記第２の計時手段が前記第１の時間よりも短い第２の時間を計時するまでの間に前記操作部材が操作されない場合には、前記接近検知手段の動作を停止する制御ステップとを有することを特徴とする撮像装置の制御方法。
【請求項４】
ファインダに物体が接近したことを検知する接近検知手段と、前記接近検知手段による接近検知動作を実行するモードを設定するモード設定手段と、前記モード設定手段によって接近検知動作を実行するモードが設定されてからの経過時間を計時する第１の計時手段と、前記モード設定手段によって接近検知動作を実行するモードが設定される場合に、前記接近検知手段によって物体の接近を検出してからの経過時間を計時する第２の計時手段と、使用者によって操作可能な操作部材とを有する撮像装置を制御するためのコンピュータプログラムであって、
前記モード設定手段にて、前記接近検知手段による接近検知動作を実行するモードを設定するモード設定処理と、
前記第１の計時手段にて、前記モード設定処理によって接近検知動作を実行するモードが設定されてからの経過時間を計時する第１の計時処理と、
前記第２の計時手段にて、物体の接近を検出してからの経過時間を計時する第２の計時処理と、
前記第１の計時手段が第１の時間を計時した場合、および前記第２の計時手段が前記第１の時間よりも短い第２の時間を計時するまでの間に前記操作部材が操作されない場合には、前記接近検知手段の動作を停止する制御処理とを有する一連の処理をコンピュータにて実行させることを特徴とするコンピュータプログラム。
【発明の詳細な説明】
【技術分野】
【０００１】
本発明は、接眼検知機能を有する撮像装置、撮像装置の制御方法、及びコンピュータプログラムに関する。
【背景技術】
【０００２】
従来、撮影者がファインダを覗く、あるいはカメラに顔を近づける等によって、カメラの近傍に物体があることを検知すると、カメラの撮影準備動作を開始する接眼検知機能付きカメラが知られている。
【０００３】
例えば、撮影者がファインダを覗く、あるいはカメラに顔を近づけたことを検知するために、カメラのファインダに光学式センサを配置することがある。そして、ファインダに物体が接近したときと遠ざかったときの光学式センサの受光量の差異に応じて、接眼しているか否かを判断するといった光学検知方式が知られている。
【０００４】
例えば、特許文献１には、撮影者がファインダに接眼動作を行っているか否かを判別する接眼検知手段を設け、接眼動作を行ったとき、撮影情報を表示する液晶表示器の背面の照明手段を消灯させるカメラが開示されている。
【０００５】
また、特許文献２には、撮影者が光学ファインダを使用しているかどうかを検出する検知手段と撮像データを表示する表示手段を有し、接眼動作を行ったとき、撮像データ表示手段のバックライトを点灯または消灯させるデジタルカメラが開示されている。
【０００６】
また、特許文献３には、撮影モードとその他のモードを有し、接眼検知したら、再生モードから撮影モードに切り替える等するデジタルカメラが開示されている。
【０００７】
【特許文献１】特許第３２７８２３０号公報
【特許文献２】特開２０００−１６５７０５号公報
【特許文献３】特開２００１−２５１５３８号公報
【発明の開示】
【発明が解決しようとする課題】
【０００８】
上述した特許文献１、特許文献２、特許文献３で開示されているカメラにおいては、ファインダに接眼したことを接眼検知手段を用いて検知すると、カメラが撮影状態に遷移する、あるいは撮影動作モードを切り替える、あるいは撮像データ表示装置のバックライトを消灯する等、撮影準備状態を開始する。
【０００９】
このようにしたカメラは撮影者にとって扱いやすく、撮影操作に移行しやすいものとすることができる。ところが、実際のカメラのファインダ周辺には、撮影者のほか、障害物となる物体が接近している場合がある。例えば壁、窓等に近接した場所にカメラを置いた場合に、壁、窓等の障害物を検出すると、撮影者が近傍に居て撮影準備状態を開始していると誤判定してしまうことがある。
【００１０】
上記の場合、障害物が近傍にあったとしても撮影者が近傍に居ないのであれば、カメラの休止状態や低消費モードに遷移することにより低消費電力状態に入ることが望ましい。しかし、障害物を誤検知することによって、撮影者が近傍に居て撮影準備状態を開始していると誤判断するので、カメラの撮影情報表示を継続したり、撮影動作モードに遷移したりする等のカメラ動作を行い、カメラの休止状態や低消費モードに遷移することが無い。このためカメラの消費電力が増大し、電池を消耗してしまうといった問題がある。
【００１１】
また、メニュー表示タイマー機能（一定時間経過後、メニュー表示をオフする機能）を有し、タイマー設定時間を選択可能なカメラにおいて、メニュー表示タイマー機能をオフもしくはタイマー設定時間を無限に選択し設定した場合や、メニュー表示タイマー機能そのものを持たないカメラの場合に、撮影者がメニュー操作を行った後、メニューを表示したらカメラはメニューを継続的に表示する。しかし、タイマーによる終了がないため、撮影者がメニュー操作を終了しても、メニュー表示をさせたままとしてしまい電力を消費しつづける、といった問題がある。
【００１２】
本発明は上記に鑑みてなされたものであり、接近検知手段により物体が接近したことを検出した場合、その物体が撮影者でなく障害物であると判別されたときに、接近検知動作を停止させて、カメラの消費電力を低くすることを目的とする。
【課題を解決するための手段】
【００１３】
本発明の撮像装置は、ファインダに物体が接近したことを検知する接近検知手段と、前記接近検知手段による接近検知動作を実行するモードを設定するモード設定手段と、前記モード設定手段によって接近検知動作を実行するモードが設定されてからの経過時間を計時する第１の計時手段と、前記モード設定手段によって接近検知動作を実行するモードが設定される場合に、前記接近検知手段によって物体の接近を検出してからの経過時間を計時する第２の計時手段と、使用者によって操作可能な操作部材と、前記第１の計時手段が第１の時間を計時した場合、および前記第２の計時手段が前記第１の時間よりも短い第２の時間を計時するまでの間に前記操作部材が操作されない場合には、前記接近検知手段の動作を停止する制御手段とを有することを特徴としている。
【発明の効果】
【００１４】
本発明によれば、接近検知手段により物体が接近したことを検出した場合、その物体が撮影者でなく障害物であると判別されたときに、接近検知動作を停止させて、カメラの消費電力を低くすることができる。
【発明を実施するための最良の形態】
【００１５】
以下、図面を参照して、本発明の実施の形態を説明する。図１は本発明を一眼レフレックスタイプデジタルカメラ（デジタル一眼レフカメラ）に適用して実施したシステム構成を示すブロック図である。図１において、カメラ制御マイコン１０は、デジタル一眼レフカメラの制御をつかさどるものであり、例えばＣＰＵ、ＲＯＭ、ＲＡＭ等により構成される。カメラ制御マイコン１０は動作クロックの高い動作状態と、動作クロックの低い動作状態とで動作させることができる。またカメラ制御マイコン１０は、内部に計時機能を有し、後述するレリーズタイマー、表示タイマー、再生タイマー、スイッチタイマー、パワーオフタイマーとして機能する。電源制御部８１はカメラ制御マイコン１０からの制御信号を受けて電源８０からカメラ各部へ電源供給する。
【００１６】
電源のオン、オフを切り替える電源スイッチ１４は、カメラ制御マイコン１０に接続されており、電源スイッチ１４がオンしていると、カメラが待機状態となる。待機状態では、カメラ制御マイコン１０を高い動作クロックで動作させるとともに、表示部２２をオンしてカメラの動作状態および設定情報などの表示を行う。電源スイッチ１４をオフすると、表示部２２を消してカメラは電源オフ状態となる。電源オフ状態であっても、電源制御部８１はカメラ制御マイコン１０に電源供給を行い、カメラ制御マイコン１０は低い動作クロックで電源スイッチ１４の監視のみ行っている。
【００１７】
撮影者がメニュースイッチ１７をオンすると、メニュー情報を表示するメニューモードに遷移する。メニューモードでは、カメラ制御マイコン１０を高い動作クロックで動作させるとともに、メモリ制御回路５０、ＴＦＴ制御回路５２、ＴＦＴモニタ５４、ＴＦＴバックライト５５及び画像表示メモリ５６を駆動し、ＴＦＴモニタ５４へメニュー情報を表示する。メニュー情報には、撮影条件の設定に係る複数のメニューが含まれ、例えば露出モード（マニュアル・オート（プログラム撮影）・絞り優先・シャッター速度優先等）やフォーカスモード（オートフォーカス・マニュアルフォーカス等）、あるいはドライブモード（単写・連写）等を選択することができる。
【００１８】
また、撮影者が、電子ダイヤル１６、ＳＥＴ釦スイッチ１９、操作部２１等の操作部材を操作すると、メニュー情報の設定を変更することができる。この場合に、変更したメニュー情報はメモリ５８に格納される。
【００１９】
撮影者が再生スイッチ１８をオンすると、再生モードに遷移する。再生モードでは、カメラ制御マイコン１０を高い動作クロックで動作させるとともに、記録部６２、インターフェース（以下、Ｉ／Ｆと略す）６０、圧縮伸張部５９を駆動し、メモリ制御回路５０、画像表示メモリ５６上に再生画像データを生成する。そして、ＴＦＴ制御回路５２、ＴＦＴモニタ５４、ＴＦＴバックライト５５及び画像表示メモリ５６を駆動し、再生画像を表示する。撮影者が電子ダイヤル１６等を操作することで再生画像を変更することができる。
【００２０】
接眼検知部２０は、不図示の光学ファインダの周囲に配置され、例えばＬＥＤと受光センサで構成される光学式検知手段である。受光センサの出力値が所定の値以上あれば、撮影者が接眼していると判断する。一方、受光センサの出力値が所定の値未満であれば、撮影者が接眼していないと判断する。
【００２１】
メニューモードにあるときに、接眼検知部２０が撮影者の接眼を検知するとスイッチ入力判定モードに遷移する。スイッチ入力判定モードでは、表示部２２の点灯は継続するが、ＴＦＴモニタ５４、ＴＦＴバックライト５５を消灯し、カメラ制御マイコン１０の動作クロックを高い動作クロックのままレリーズスイッチ１５、電子ダイヤル１６、メニュースイッチ１７、再生スイッチ１８、ＳＥＴ釦スイッチ１９、操作部２１の監視を行う。
【００２２】
スイッチ入力判定モードにて接眼検知が継続したまま所定時間が経過する、もしくは待機状態から何の操作もされず所定時間経過すると低消費電力モードに遷移する。低消費電力モードでは、接眼検知部２０を停止し、表示部２２を消灯して、カメラ制御マイコン１０の動作クロックを低い動作クロックに切り換えて、電源スイッチ１４の監視のみ行う。
【００２３】
また、カメラ制御マイコン１０は、レンズ接続Ｉ／Ｆ７１を経由してレンズ制御マイコン２００とのデータ通信が可能かどうかの検出を行う。レンズ装着検知スイッチ７０がオンしている場合、レンズが装着されレンズ制御マイコン２００とのデータ通信が可能と判断する。そして、カメラ制御マイコン１０とレンズ制御マイコン２００との間で、例えばレンズ絞り制御データ、ズーム制御情報、レンズ駆動量制御情報といった各種レンズ制御データを受け渡す。
【００２４】
さらに、カメラ制御マイコン１０は、フラッシュ装置装着検知スイッチ７２がオンしているか、また、フラッシュ接続Ｉ／Ｆ７３を経由してフラッシュ制御マイコン１００とのデータ通信が可能かどうかの検出を行う。フラッシュ装置が装着され通信可能な場合には、カメラ制御マイコン１０とフラッシュ制御マイコン１００との間で、例えばフラッシュ制御データ、ズーム位置情報、ガイドナンバー、メインコンデンサの充電量といった各種フラッシュ制御データを受け渡す。
【００２５】
レリーズスイッチ１５は、二段階で押下される構造となっており、カメラ制御マイコン１０は、レリーズスイッチ１５の一段階目の第１スイッチＳＷ１を検出すると、撮影モードに遷移する。撮影モードでは、カメラ制御マイコン１０を高い動作クロックで動作させるとともに、撮像回路３０、タイミング発生回路３１、Ａ／Ｄ変換回路３２、画像処理回路３３を駆動して撮像動作を行ったのち、メモリ制御回路５０、圧縮伸張部５９、Ｉ／Ｆ６０、記録部６２を駆動して記録する。さらに、ＴＦＴ制御回路５２、ＴＦＴモニタ５４、ＴＦＴバックライト５５及び画像表示メモリ５６を駆動し、撮影した画像を表示する。また、測光回路１３を駆動し、被写界の輝度を測光することにより測光制御データを取得する。また、測距回路１２を駆動し、測距回路１２の出力を基に被写体の距離を演算することによりＡＦデータ（オートフォーカスデータ）を取得する。
【００２６】
さらに、カメラ制御マイコン１０は、レリーズスイッチ１５の二段階目の第２スイッチＳＷ２を検出すると、レリーズ動作を行う。カメラ制御マイコン１０は、上述した測光制御データ及びＡＦデータに基づいて、シャッター制御量、レンズ絞り制御量を算出し、シャッター制御部１１の駆動を行う。さらに、レンズ制御マイコン２００へレンズ絞り制御量、測距制御駆動量を受け渡し、レンズ絞り駆動を行う。また、カメラ制御マイコン１０は、メモリ制御回路５０に後述する撮像回路ブロックの制御動作を開始させる。
【００２７】
撮像回路ブロックは、撮像回路３０、タイミング発生回路３１、撮像回路３０からの出力信号をＡ／Ｄ変換するＡ／Ｄ変換回路３２、Ａ／Ｄ変換回路３２の出力に画像処理を施す画像処理回路３３により構成される。
【００２８】
メモリ制御回路５０は、撮像回路ブロックを駆動することにより画像データを取得する。カメラ制御マイコン１０は、カメラが画像確認モードに設定されている場合には、カメラ制御マイコン１０からメモリ制御回路５０及びＴＦＴ制御回路５２へ表示コマンドの受け渡しをする。さらに、ＴＦＴ制御回路５２は画像処理で得られた画像データに基づいて表示用データを生成し、得られた表示用データをＴＦＴモニタ５４に表示する。
【００２９】
次に、図２を参照して、本発明の実施の形態に係るデジタル一眼レフカメラの状態遷移について説明する。
【００３０】
まず、デジタル一眼レフカメラの取りうる状態として、電源オフ（Ｓ１０）、待機状態（Ｓ１１）、撮影モード（Ｓ１２）、メニューモード（Ｓ１３）、再生モード（Ｓ１４）、低消費モード（Ｓ１５）、スイッチ入力判定モード（Ｓ１６）の７つの状態があり、これら状態の間を遷移して作動する。
【００３１】
上記状態の遷移を詳述すると、電源オフ（Ｓ１０）の状態から電源スイッチ１４がオンになった場合（ｒ１１）、待機状態（Ｓ１１）へ遷移する。
【００３２】
待機状態（Ｓ１１）では、カメラ制御マイコン１０を高い動作クロックで動作させるとともに、表示部２２をオンしてカメラの動作状態および設定情報などの表示を行う。カメラ制御マイコン１０はそれぞれのスイッチやダイヤルなどの操作の有無を監視しているので、カメラの操作部材の操作があると、その内容によって、以下のように次の状態へ遷移する。
【００３３】
待機状態（Ｓ１１）では、レリーズスイッチ１５の操作があった場合（ｒ１２）、撮影モード（Ｓ１２）へ遷移する。メニュースイッチ１７の操作があった場合（ｒ１４）、メニューモード（Ｓ１３）へ遷移する。再生スイッチ１８の操作があった場合（ｒ１６）、再生モード（Ｓ１４）へ遷移する。パワーオフタイマーにて、時間ｔ５のカウントが終了した場合（ｒ１８）、低消費モード（Ｓ１５）へ遷移する。
【００３４】
メニューモード（Ｓ１３）では、カメラ制御マイコン１０を高い動作クロックで動作させるとともに、メモリ制御回路５０、ＴＦＴ制御回路５２、ＴＦＴモニタ５４、ＴＦＴバックライト５５及び画像表示メモリ５６を駆動し、ＴＦＴモニタ５４へメニュー情報を表示する。そして、カメラ制御マイコン１０内部のタイマーによる計時を開始する。この表示タイマーにて、時間ｔ１が経過するまでの間、カメラのメニュー情報をＴＦＴモニタ５４に表示し、この間はカメラの電子ダイヤル１６、ＳＥＴ釦スイッチ１９等を操作することで、メニュー情報の設定を変更することができる。
【００３５】
メニューモード（Ｓ１３）の状態から、接眼検知部２０を動作開始し、撮影者がファインダに接眼動作した場合には（ｒ３１）、スイッチ入力判定モード（Ｓ１６）へ遷移する。一方で、接眼動作を検知せず、上述した表示タイマーにて、時間ｔ１を経過したり、メニュースイッチ１７が再び操作されたりした場合には（ｒ１５）には、待機状態（Ｓ１１）へ遷移して、接眼検知部２０による接眼検知動作を停止する。
【００３６】
スイッチ入力判定モード（Ｓ１６）に遷移すると、表示部２２の点灯は継続するが、ＴＦＴモニタ５４、ＴＦＴバックライト５５を消灯し、カメラ制御マイコン１０の動作クロックを高い動作クロックのままレリーズスイッチ１５、電子ダイヤル１６、メニュースイッチ１７、再生スイッチ１８、ＳＥＴ釦スイッチ１９、操作部２１の監視を行う。そして、スイッチ入力判定モードに遷移すると、カメラ制御マイコン１０内部のタイマーによる計時を開始する。このスイッチタイマーにて、時間ｔ２が経過するまでの間、カメラの操作部材が操作されたか否かを判定する。スイッチタイマーにて、計測される時間ｔ２は、表示タイマーにて、計測される時間ｔ１よりも短い時間に設定される。操作部材が操作されないまま時間ｔ２を経過した場合（ｒ３２）、接眼動作は撮影者によるものではなく壁、窓等の障害物による接眼動作であると判断し、低消費モード（Ｓ１５）へ遷移する。
【００３７】
スイッチ入力判定モード（Ｓ１６）の状態から、時間ｔ２未満に、撮影者により操作部材が操作されるか、接眼動作が解除される場合には（ｒ３３）、接眼動作は撮影者によるものと判断し、待機状態（Ｓ１１）へ遷移して、接眼検知部２０による接眼検知動作を停止する。
【００３８】
撮影モード（Ｓ１２）に遷移すると、カメラ制御マイコン１０を高い動作クロックで動作させるとともに、撮像回路３０、タイミング発生回路３１、Ａ／Ｄ変換回路３２、画像処理回路３３を駆動して撮像動作を行ったのち、メモリ制御回路５０、圧縮伸張部５９、Ｉ／Ｆ６０、記録部６２を駆動して記録する。さらに、ＴＦＴ制御回路５２、ＴＦＴモニタ５４、ＴＦＴバックライト５５及び画像表示メモリ５６を駆動し、撮影した画像を表示する。撮影モード（Ｓ１２）では、カメラのレリーズスイッチ１５が操作された直後及び撮影制御終了後に、カメラ制御マイコン１０内部のタイマーによる計時を開始する。このレリーズタイマーにて、時間ｔ３が経過するまでの間、カメラの撮影操作スイッチの状態に応じて、測光、測距、レンズ通信、フラッシュ通信、シャッター駆動、ミラー駆動等、撮影制御を行う。また、撮影モード（Ｓ１２）の状態から、時間ｔ３が経過した場合（ｒ１３）は、待機状態（Ｓ１１）へ遷移する。
【００３９】
再生モード（Ｓ１４）に遷移すると、カメラ制御マイコン１０を高い動作クロックで動作させるとともに、記録部６２、インターフェース（以下、Ｉ／Ｆと略す）６０、圧縮伸張部５９を駆動し、メモリ制御回路５０、画像表示メモリ５６上に再生画像データを生成する。再生モード（Ｓ１４）では、タイマーによる計時を開始し、再生タイマーにて、時間ｔ４が経過するまでの間、カメラの記録画像をＴＦＴモニタ５４に表示し、カメラの電子ダイヤル１６等の状態に応じて、再生画像を変更することができる。また、再生モード（Ｓ１４）の状態から、時間ｔ４が終了したり、再生スイッチ１８が操作されたりした場合（ｒ１７）は、待機状態（Ｓ１１）へ遷移する。
【００４０】
低消費モード（Ｓ１５）に遷移すると、表示部２２を消灯して、カメラ制御マイコン１０の動作クロックを低い動作クロックに切り替えて、電源スイッチ１４の監視のみ行っている。低消費モード（Ｓ１５）では、カメラ制御マイコン１０の動作クロックを低い動作クロックで動作させる以外の動作を行わないので、カメラ全体を休止状態として、消費電力を低下させる。低消費モード（Ｓ１５）の状態から電源スイッチ１４がオフになった場合（ｒ１９）、電源オフ（Ｓ１０）へ遷移する。
【００４１】
ここで、図３は、本実施の形態のデジタル一眼レフカメラの消費電力の一例を状態別に表したものである。この例のうち撮影モード（Ｓ１２）で消費電力が最大であり、再生モード（Ｓ１４）、メニューモード（Ｓ１３）が続く。スイッチ入力判定モード（Ｓ１６）、待機状態（Ｓ１１）で消費電力が低くなっており、電源オフ（Ｓ１０）、及び低消費モード（Ｓ１５）で最小となることが判る。
【００４２】
図３に示すように、状態別消費電力には差があるため、カメラの状態遷移として、メニューモード（Ｓ１３）等の消費電力が大きい状態にあるよりは、なるべく消費電力の少ない状態、例えば低消費モード（Ｓ１５）にあるほうが電力消費を抑制することができる。
【００４３】
本実施の形態に係るデジタル一眼レフカメラでは、タイマー、撮影者による操作等を基に、電力消費を抑えられるように段階的に状態が遷移されるように構成されている。
【００４４】
つまり、撮影モード（Ｓ１２）、メニューモード（Ｓ１３）、再生モード（Ｓ１４）の高消費電力状態から、待機状態（Ｓ１１）と低消費モード（Ｓ１５）の低消費電力状態に遷移するように構成され、消費電力の軽減を図っている。
【００４５】
具体的には、撮影モード（Ｓ１２）の状態から、レリーズタイマーにてカウントされる時間ｔ３が終了した場合（ｒ１３）は、待機状態（Ｓ１１）へ遷移する。つまり、高消費電力状態から低消費電力状態へ遷移している。
【００４６】
メニューモード（Ｓ１３）の状態から、接眼動作を検知せず上述した表示タイマーにてカウントされる時間ｔ１を経過したり、メニュースイッチ１７が再び操作されたりした場合には（ｒ１５）には、待機状態（Ｓ１１）へ遷移する。つまり、高消費電力状態から低消費電力状態へ遷移している。
【００４７】
再生モード（Ｓ１４）の状態から、再生タイマーにてカウントされる時間ｔ４が終了したり、再生スイッチ１８が操作されたりした場合（ｒ１７）、待機状態（Ｓ１１）へ遷移する。つまり、高消費電力状態から低消費電力状態へ遷移している。
【００４８】
また、スイッチ入力判定モード（Ｓ１６）では、操作部材が操作されないままスイッチタイマーにてカウントされる時間ｔ２を経過した場合（ｒ３２）、接眼動作は撮影者によるものではなく壁、窓等の障害物による接眼動作であると判断し、低消費モード（Ｓ１５）へ遷移する。つまり、さらに低消費電力状態へ遷移している。また、その他、スイッチタイマーにてカウントされる時間ｔ２未満に、撮影者により操作部材が操作されるか、接眼動作が解除される場合には（ｒ３３）、接眼動作は撮影者によるものと判断し、待機状態（Ｓ１１）へ遷移する。
【００４９】
さらに、待機状態（Ｓ１１）では、パワーオフタイマーにて、時間ｔ５が終了した場合（ｒ１８）、低消費モード（Ｓ１５）へ遷移する。つまり、低消費電力状態の中でもさらに段階的に遷移させるようにして、最終的に、カメラが操作されることがないと判断した場合に最も消費電力の少ない低消費モード（Ｓ１５）に遷移されるようになっており、一層の消費電力軽減を図っている。
【００５０】
特に、上述したようにスイッチタイマーにてカウントされる時間ｔ２は、表示タイマーにてカウントされる時間ｔ１よりも短い時間に設定する。表示タイマーにてカウントされる時間ｔ１は、例えば６０秒、１８０秒、１０分、３０分、タイマーオフ等のように撮影者が任意に設定選択できる。メニューモード（Ｓ１３）で消費する電力は、表示タイマーにてカウントされる時間ｔ１の長さによって比例する。撮影者が設定する表示タイマーにてカウントされる時間ｔ１が十分に長時間であったとしても、接眼検知部２０によって物体が検知されれば、スイッチタイマーにてカウントされる時間ｔ２は表示タイマーにてカウントされる時間ｔ１よりも短い設定であるので、メニューモード（Ｓ１３）で消費する電力は、スイッチタイマーにてカウントされる時間ｔ２までの電力消費に抑制することができる。以上が、本発明の実施の形態における構成のデジタル一眼レフカメラの状態遷移である。
【００５１】
ここで、本発明の実施の形態におけるデジタル一眼レフカメラの動作例を図４に示すフローチャートを用いて、図１、図２と関連付けながら説明する。
【００５２】
ステップＳ１０１は待機状態（Ｓ１１）である。
【００５３】
ステップＳ１０２では、カメラのメニュースイッチ１７が操作されたか否かを判別する。メニュースイッチ１７が操作されれば（ＹＥＳ）、ステップＳ１０３のメニューモード（Ｓ１３）に進み、メニュースイッチ１７が操作されなければ（ＮＯ）、ステップＳ１０１の待機状態（Ｓ１１）へ戻る。
【００５４】
ステップＳ１０３では、メモリ制御回路５０、ＴＦＴ制御回路５２、ＴＦＴモニタ５４、ＴＦＴバックライト５５及び画像表示メモリ５６を駆動し、ＴＦＴモニタ５４へメニュー情報を表示する。
【００５５】
ステップＳ１０４では、画像表示メモリ５６を初期化し、メニュー表示の初期化を行う。
【００５６】
ステップＳ１０５では、タイマーの初期化を行い、上述した表示タイマーにてカウントされる時間ｔ１のカウントを開始する。
【００５７】
ステップＳ１０６では、画像表示メモリ５６を駆動し、ＴＦＴモニタ５４へ表示内容を更新する。
【００５８】
ステップＳ１０７では、ＴＦＴバックライト５５を点灯する。これによりＴＦＴモニタ５４の視認性を高めることができる。
【００５９】
ステップＳ１０８では、電子ダイヤル１６、ＳＥＴ釦スイッチ１９、操作部２１等のメニュー操作にかかわる操作を行うと、メニュー設定を変更することができる。メニュー設定を更新した場合、ステップＳ１１０へ進み、メニュー情報メモリを更新し、更新したメニュー情報をメモリ５８に格納した後、ステップＳ１０５及びステップＳ１０６に進み、タイマーのカウントを初期化し直し、ＴＦＴモニタ５４へ表示内容を更新する。
【００６０】
ステップＳ１０８でメニュー操作にかかわる操作を行わない場合、ステップＳ１０９へ進む。
【００６１】
ステップＳ１０９では、接眼検知部２０を駆動する。ここで接眼検知部２０は不図示の光学ファインダの周囲に配置されたＬＥＤと受光センサ等により構成され、受光センサの出力値が所定の値以上あれば（ＹＥＳ）、撮影者が接眼していると判断し、ステップＳ１１６のスイッチ入力判定モード（Ｓ１６）に遷移する。また、ステップＳ１０９で、受光センサの出力値が所定の値未満であれば（ＮＯ）、撮影者が接眼していないと判断しステップＳ１１２へ進む。
【００６２】
ステップＳ１１２及びステップＳ１１３では、操作部２１もしくはメニュースイッチ１７が操作されているかを判別する。操作部２１もしくはメニュースイッチ１７が操作されていれば（ＹＥＳ）、ステップＳ１１５に進み、操作部２１及びメニュースイッチ１７がいずれも操作されていなければ（ＮＯ）、ステップＳ１１４へ進む。
【００６３】
ステップＳ１１４では、表示タイマーにてカウントされる時間ｔ１がタイムアウトしたか否かを判別する。表示タイマーにてカウントされる時間ｔ１がタイムアウトしている場合には（ＹＥＳ）、ステップＳ１１５へ進む。表示タイマーにてカウントされる時間ｔ１がタイムアウトしていない場合には（ＮＯ）、ステップＳ１０６へ戻る。
【００６４】
ステップＳ１１５では、表示タイマーにてカウントされる時間ｔ１の終了にともない、メモリ制御回路５０をクローズし、ＴＦＴモニタ５４、ＴＦＴバックライト５５を消灯する。すなわち、上述したメニューモード（Ｓ１３）から待機状態（Ｓ１１）へ遷移する。
【００６５】
次に、ステップＳ１１６のスイッチ入力判定モード（Ｓ１６）に遷移した場合を説明する。まず、ステップＳ１１７では、タイマーの初期化を行い、スイッチタイマーにてカウントされる時間ｔ２のカウントを開始する。
【００６６】
さらに、ステップＳ１１８及びステップＳ１１９では、操作部２１もしくは接眼検知部２０が変化したかを判別する。操作部２１もしくは接眼検知２０が変化していれば（ＹＥＳ）、待機状態（Ｓ１１）へ遷移する。また、操作部２１及び接眼検知２０がいずれも変化していなければ（ＮＯ）、ステップＳ１２０へ進む。
【００６７】
ステップＳ１２０では、スイッチタイマーにてカウントされる時間ｔ２がタイムアウトしているかを判別する。スイッチタイマーにてカウントされる時間ｔ２がタイムアウトしていない場合には（ＮＯ）、ステップＳ１１８へ戻る。スイッチタイマーにてカウントされる時間ｔ２がタイムアウトした場合には（ＹＥＳ）、接眼動作は撮影者によるものではなく障害物によるものと判断し、ステップＳ１２１の低消費モード（Ｓ１５）へ遷移する。
【００６８】
ステップＳ１２１の低消費モード（Ｓ１５）では、カメラの電源制御を抑制し、カメラ全体を休止状態に遷移させ消費電力を低下させる。
【００６９】
以上が、本発明の実施の形態におけるデジタル一眼レフカメラの動作例のフローチャートである。
【００７０】
以上まとめると、本発明の実施の形態に係るデジタル一眼レフカメラは、接眼検知部２０により接眼動作を検出したら、メニューモード（Ｓ１３）からスイッチ入力判定モード（Ｓ１６）へ遷移し、さらにスイッチタイマーにてカウントされる時間ｔ２が経過しても操作部材の操作が検出されなければ、接眼動作が撮影者でなく障害物によるものと判別し、カメラの動作状態を低消費モードへ遷移させる。また、本実施の形態では、メニューモード（Ｓ１３）からスイッチ入力判定モード（Ｓ１６）に遷移するようにしたが、再生モード（Ｓ１４）においても接眼検知部２０を動作開始させ、接眼検知したらスイッチ入力判定モード（Ｓ１６）に遷移するようにしてもよい。
【００７１】
また、撮影者が表示タイマーにてカウントされる時間ｔ１をオフ又は無制限に設定した場合においても、接眼検知部２０により物体を検出し、スイッチ入力判定モード（Ｓ１６）に遷移後、表示タイマーにてカウントされる時間ｔ１よりも短い時間であるスイッチタイマーにてカウントされる時間ｔ２において、操作部材の操作が検出されなければ、低消費モードへ遷移するようにした。したがって、メニュー表示をさせたままとしてしまい電力を消費しつづける、といった不具合をなくすことができる。
【００７２】
以上の構成により、例えば壁、窓等障害物が近傍にあったとしても撮影者が近傍に居ないのであれば、接眼動作は撮影者によるものではなく障害物によるものと判定し、低消費モードに遷移させることで消費電力の低減を図り、電池の消耗を回避する効果が得られる。
【００７３】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００７４】
この場合、記憶媒体から読み出されたプログラムコード自体が上述した実施形態の機能を実現することになり、プログラムコード自体及びそのプログラムコードを記憶した記憶媒体は本発明を構成することになる。
【００７５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００７６】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００７７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００７８】
【図１】本発明の実施の形態に係るデジタル一眼レフカメラのシステム構成を示すブロック図である。
【図２】本発明の実施の形態に係るデジタル一眼レフカメラの状態遷移について説明するための図である。
【図３】本発明の実施の形態に係るデジタル一眼レフカメラの状態別の電力消費量の例を示す図である。
【図４】本発明の実施の形態に係るデジタル一眼レフカメラの動作例を説明するためのフローチャートである。
【符号の説明】
【００７９】
１０  カメラ制御マイコン
１７  メニュースイッチ
２０  接眼検知部
２１  操作部
５０  メモリ制御
５２  ＴＦＴ制御回路
５４  ＴＦＴモニタ
【図１】
2007208934.tif 000003
【図２】
2007208934.tif 000004
【図３】
2007208934.tif 000005
【図４】
2007208934.tif 000006